(57)【特許請求の範囲】
【請求項１】
指紋識別センサと光センサとが分布された液晶ディスプレイスクリーンを含む電子機器に用いられる指紋識別方法であって、
ユーザの指によってトリガされた指紋識別指令を取得するステップと、
前記指紋識別指令が受信された後で、測定された輝度値が所定の閾値より小さい各光センサを特定するステップと、
前記各光センサの位置からなる領域を前記遮蔽領域として特定するステップ、
前記遮蔽領域の形状が楕円形であるかどうかを検出するステップと、
当該形状が楕円形であるとき、前記遮蔽領域に基づいて一部の指紋識別センサを選択するステップと、
選択された前記一部の指紋識別センサが前記指に対して指紋識別を行うように制御するステップと、を含むことを特徴とする指紋識別方法。
【請求項２】
前記遮蔽領域に基づいて、前記光センサが前記指に遮蔽されているかどうかを検出するステップと、
前記遮蔽領域に基づいて前記光センサが前記指に遮蔽されていると検出したとき、前記遮蔽領域に基づいて一部の指紋識別センサを選択するステップを実行するようにトリガするステップと、をさらに含むことを特徴とする請求項１に記載の指紋識別方法。
【請求項３】
前記遮蔽領域に基づいて一部の指紋識別センサを選択するステップは、
前記遮蔽領域内に分布された各指紋識別センサを特定するステップ、または、
前記指紋識別センサが前記液晶ディスプレイスクリーン上にアレイ状に分布された場合、前記遮蔽領域がカバーした列の数および行の数を特定し、前記列の数を長さとし、前記行の数を幅として矩形の識別領域を生成し、前記識別領域内に分布された各指紋識別センサを特定するステップを含むことを特徴とする請求項１に記載の指紋識別方法。
【請求項４】
選択された前記一部の指紋識別センサが前記指に対して指紋識別を行うように制御するステップは、
前記一部の指紋識別センサを対応するデータ線に電気的に接続するように制御するステップと、
前記一部の指紋識別センサによって採集された指紋データを前記データ線を介して出力するステップと、を含むことを特徴とする請求項１乃至３のうちのいずれか一項に記載の指紋識別方法。
【請求項５】
前記一部の指紋識別センサを対応するデータ線に電気的に接続するように制御するステップは、
すべての指紋識別センサを初期化し、前記一部の指紋識別センサを対応するデータ線に電気的に接続するようにイネーブル線を介して制御するステップを含み、
指紋識別センサのそれぞれは、対応するイネーブル線に電気的に接続されていることを特徴とする請求項４に記載の指紋識別方法。
【請求項６】
指紋識別センサと光センサとが分布された液晶ディスプレイスクリーンを含む電子機器に用いられる指紋識別装置であって、
ユーザの指によってトリガされた指紋識別指令を取得するように構成される指令受信モジュールと、
前記指紋識別指令が前記指令受信モジュールによって受信された後で、前記指によって遮蔽された各光センサの位置からなる遮蔽領域を特定するように構成される領域特定モジュールと、
前記遮蔽領域の形状が楕円形であるかどうかを検出し、当該形状が楕円形であるとき、前記領域特定モジュールによって特定された前記遮蔽領域に基づいて一部の指紋識別センサを選択するように構成されるセンサ選択モジュールと、
前記センサ選択モジュールによって選択された前記一部の指紋識別センサが前記指に対して指紋識別を行うように制御するように構成される指紋識別モジュールと、を備え、
前記領域特定モジュールは、
前記指紋識別指令が受信された後で、測定された輝度値が所定の閾値より小さい各光センサを特定するように構成される第１の特定サブモジュールと、
前記各光センサの位置からなる領域を前記遮蔽領域として特定するように構成される第２の特定サブモジュールと、を備えることを特徴とする指紋識別装置。
【請求項７】
前記遮蔽領域に基づいて、前記光センサが前記指に遮蔽されているかどうかを検出するように構成される領域検出モジュールと、
前記領域検出モジュールが前記遮蔽領域に基づいて前記光センサが前記指に遮蔽されていると検出したとき、前記遮蔽領域に基づいて一部の指紋識別センサを選択することを実行するようにトリガするように構成される操作トリガモジュールと、をさらに備えることを特徴とする請求項６に記載の指紋識別装置。
【請求項８】
前記センサ選択モジュールは、
前記遮蔽領域内に分布された各指紋識別センサを特定するように構成される第１の選択サブモジュール、または、
前記指紋識別センサが前記液晶ディスプレイスクリーン上にアレイ状に分布された場合、前記遮蔽領域がカバーした列の数および行の数を特定し、前記列の数を長さとし、前記行の数を幅として矩形の識別領域を生成し、前記識別領域内に分布された各指紋識別センサを特定するように構成される第２の選択サブモジュールを備えることを特徴とする請求項６に記載の指紋識別装置。
【請求項９】
前記指紋識別モジュールは、
前記一部の指紋識別センサを対応するデータ線に電気的に接続するように制御するように構成される接続制御サブモジュールと、
前記一部の指紋識別センサによって採集された指紋データを前記データ線を介して出力するように構成される指紋出力サブモジュールと、を備えることを特徴とする請求項６乃至８のうちのいずれか一項に記載の指紋識別装置。
【請求項１０】
前記接続制御サブモジュールは、さらに、
すべての指紋識別センサを初期化し、前記一部の指紋識別センサを対応するデータ線に電気的に接続するようにイネーブル線を介して制御するように構成され、
指紋識別センサのそれぞれは、対応するイネーブル線に電気的に接続されていることを特徴とする請求項９に記載の指紋識別装置。
【請求項１１】
指紋識別センサと光センサとが分布された液晶ディスプレイスクリーンと、
プロセッサと、
プロセッサの実行可能な指令を記憶するためのメモリと、を備え、
前記プロセッサは、
ユーザの指によってトリガされた指紋識別指令を取得し、
前記指紋識別指令が受信された後で、測定された輝度値が所定の閾値より小さい各光センサを特定し、
前記各光センサの位置からなる領域を前記遮蔽領域として特定し、
前記遮蔽領域の形状が楕円形であるかどうかを検出し、
当該形状が楕円形であるとき、前記遮蔽領域に基づいて一部の指紋識別センサを選択し、
選択された前記一部の指紋識別センサが前記指に対して指紋識別を行うように制御するように構成されることを特徴とする指紋識別装置。
【発明の詳細な説明】
【技術分野】
【０００１】
本発明は、液晶ディスプレイスクリーン分野に関し、特に、指紋識別方法および装置に関する。
【背景技術】
【０００２】
電子機器に配置された指紋識別センサは、ユーザの指紋を識別し、検証することができ、検証が通った後で、電子機器に対するユーザの操作を許可するため、電子機器が知らない人に操作される状況は回避され、電子機器の安全性も保証される。
【０００３】
電子機器の液晶ディスプレイスクリーン上に指紋識別センサが均一に分布された場合、関連技術に供されるある指紋識別方法は、液晶ディスプレイスクリーン上に作用する操作が受信されたかどうかを電子機器が検出し、且つ、液晶ディスプレイスクリーン上に作用する操作が受信されたとき、液晶ディスプレイスクリーン内の第１行の指紋識別センサから１行ずつ走査して液晶ディスプレイスクリーン内の最終行の指紋識別センサの走査まで完了させた後で停止し、ユーザの指紋を取得する。
【発明の概要】
【発明が解決しようとする課題】
【０００４】
関連技術における問題を解決すべく、本発明は、指紋識別方法および装置を提供する。
【課題を解決するための手段】
【０００５】
本発明の実施例の第１の態様によれば、指紋識別センサと光センサとが分布された液晶ディスプレイスクリーンを含む電子機器に用いられる指紋識別方法を提供する。前記方法は、
ユーザの指によってトリガされた指紋識別指令を取得するステップと、
前記指紋識別指令が受信された後で、前記指によって遮蔽された各光センサの位置からなる遮蔽領域を特定するステップと、
前記遮蔽領域に基づいて一部の指紋識別センサを選択するステップと、
選択された前記一部の指紋識別センサが前記指に対して指紋識別を行うように制御するステップと、を含む。
【０００６】
好ましくは、前記前記指紋識別指令が受信された後で、前記指によって遮蔽された各光センサの位置からなる遮蔽領域を特定するステップは、
前記指紋識別指令が受信された後で、測定された輝度値が所定の閾値より小さい各光センサを特定するステップと、
前記各光センサの位置からなる領域を前記遮蔽領域として特定するステップと、を含む。
【０００７】
好ましくは、前記方法は、さらに、
前記遮蔽領域に基づいて前記光センサが前記指に遮蔽されているかどうかを検出するステップと、
前記遮蔽領域に基づいて前記光センサが前記指に遮蔽されていると検出したとき、前記遮蔽領域に基づいて一部の指紋識別センサを選択するステップを実行するようにトリガするステップと、を含む。
【０００８】
好ましくは、前記遮蔽領域に基づいて一部の指紋識別センサを選択するステップは、
前記遮蔽領域内に分布された各指紋識別センサを特定するステップ、または、
前記指紋識別センサが前記液晶ディスプレイスクリーン上にアレイ状に分布された場合、前記遮蔽領域がカバーした列の数および行の数を特定し、前記列の数を長さとし、前記行の数を幅として矩形の識別領域を生成し、前記識別領域内に分布された各指紋識別センサを特定するステップを含む。
【０００９】
好ましくは、選択された前記一部の指紋識別センサが指に対して指紋識別を行うように制御するステップは、
前記一部の指紋識別センサを対応するデータ線に電気的に接続するように制御するステップと、
前記一部の指紋識別センサによって採集された指紋データを前記データ線を介して出力するステップと、を含む。
【００１０】
好ましくは、前記前記一部の指紋識別センサを対応するデータ線に電気的に接続するように制御するステップは、
すべての指紋識別センサを初期化し、前記一部の指紋識別センサを対応するデータ線に電気的に接続するようにイネーブル線を介して制御するステップを含み、指紋識別センサのそれぞれは、対応するイネーブル線に電気的に接続されている。
【００１１】
本発明の実施例の第２の態様によれば、指紋識別センサと光センサとが分布された液晶ディスプレイスクリーンを含む電子機器に用いられる指紋識別装置を提供する。前記装置は、
ユーザの指によってトリガされた指紋識別指令を取得するように構成される指令受信モジュールと、
前記指紋識別指令が前記指令受信モジュールによって受信された後で、前記指によって遮蔽された各光センサの位置からなる遮蔽領域を特定するように構成される領域特定モジュールと、
前記領域特定モジュールによって特定された前記遮蔽領域に基づいて一部の指紋識別センサを選択するように構成されるセンサ選択モジュールと、
前記センサ選択モジュールによって選択された前記一部の指紋識別センサが前記指に対して指紋識別を行うように制御するように構成される指紋識別モジュールと、を備える。
【００１２】
好ましくは、前記領域特定モジュールは、
前記指紋識別指令が受信された後で、測定された輝度値が所定の閾値より小さい各光センサを特定するように構成される第１の特定サブモジュールと、
前記各光センサの位置からなる領域を前記遮蔽領域として特定するように構成される第２の特定サブモジュールと、を備える。
【００１３】
好ましくは、前記装置は、さらに、
前記遮蔽領域に基づいて前記光センサが前記指に遮蔽されているかどうかを検出するように構成される領域検出モジュールと、
前記領域検出モジュールが前記遮蔽領域に基づいて前記光センサが前記指に遮蔽されていると検出したとき、前記遮蔽領域に基づいて一部の指紋識別センサを選択することを実行するようにトリガするように構成される操作トリガモジュールと、を備える。
【００１４】
好ましくは、前記センサ選択モジュールは、
前記遮蔽領域内に分布された各指紋識別センサを特定するように構成される第１の選択サブモジュール、または、
前記指紋識別センサが前記液晶ディスプレイスクリーン上にアレイ状に分布された場合、前記遮蔽領域がカバーした列の数および行の数を特定し、前記列の数を長さとし、前記行の数を幅として矩形の識別領域を生成し、前記識別領域内に分布された各指紋識別センサを特定するように構成される第２の選択サブモジュールを備える。
【００１５】
好ましくは、前記指紋識別モジュールは、
前記一部の指紋識別センサを対応するデータ線に電気的に接続するように制御するように構成される接続制御サブモジュールと、
前記一部の指紋識別センサによって採集された指紋データを前記データ線を介して出力するように構成される指紋出力サブモジュールと、を備える。
【００１６】
好ましくは、前記接続制御サブモジュールは、さらに、
すべての指紋識別センサを初期化し、前記一部の指紋識別センサを対応するデータ線に電気的に接続するようにイネーブル線を介して制御するように構成され、指紋識別センサのそれぞれは、対応するイネーブル線に電気的に接続されている。
【００１７】
本発明の実施例の第３の態様によれば、指紋識別装置を提供する。前記装置は、
指紋識別センサと光センサとが分布された液晶ディスプレイスクリーンと、
プロセッサと、
プロセッサの実行可能な指令を記憶するためのメモリと、を備え、
前記プロセッサは、
ユーザの指によってトリガされた指紋識別指令を取得し、
前記指紋識別指令が受信された後で、前記指によって遮蔽された各光センサの位置からなる遮蔽領域を特定し、
前記遮蔽領域に基づいて一部の指紋識別センサを選択し、
選択された前記一部の指紋識別センサが前記指に対して指紋識別を行うように制御するように構成される。
【発明の効果】
【００１８】
本発明の実施例に供される技術案は、以下の格別な作用効果を奏することができる。
【００１９】
ユーザの指によってトリガされた指紋識別指令を取得し、指紋識別指令が受信された後で、指によって遮蔽された各光センサの位置からなる遮蔽領域を特定し、遮蔽領域に基づいて一部の指紋識別センサを選択し、選択された一部の指紋識別センサが指に対して指紋識別を行うように制御することにより、一部の指紋識別センサが指紋識別を行うように制御可能であり、全液晶ディスプレイスクリーン上におけるあらゆる指紋識別センサが指紋識別を行うように制御することによる資源の無駄遣いの問題を解決し、資源を節約する効果を奏する。
【００２０】
以上の一般的な記述および後述する詳細な説明は、例示的なものであり、本発明を制限するためのものでないことは、理解されるべきである。
【図面の簡単な説明】
【００２１】
ここでの図面は、明細書を構成する一部として見なされ、本発明に適した実施例を示し、かつ、明細書の文字記載とともに本発明の仕組みを解釈するために用いられる。
【図１】一実施例による指紋識別方法を示すフローチャートである。
【図２Ａ】別の実施例による指紋識別方法を示すフローチャートである。
【図２Ｂ】別の実施例による遮蔽領域を示す模式図である。
【図２Ｃ】別の実施例による識別領域を示す模式図である。
【図２Ｄ】別の実施例による一部の指紋識別センサが指紋識別を行うように制御するフローチャートである。
【図２Ｅ】別の実施例による指紋識別センサを示す第１種の模式図である。
【図２Ｆ】別の実施例による指紋識別センサを示す第２種の模式図である。
【図３】一実施例による指紋識別装置を示すブロック図である。
【図４】一実施例による指紋識別装置を示すブロック図である。
【図５】一実施例による指紋識別のための装置を示すブロック図である。
【発明を実施するための形態】
【００２２】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置および方法の例に過ぎない。
【００２３】
図１は、一実施例による指紋識別方法を示すフローチャートである。当該指紋識別方法は、液晶ディスプレイスクリーンを含む電子機器に用いられ、当該液晶ディスプレイスクリーン上に指紋識別センサと光センサが分布されており、図１に示すように、当該指紋識別方法は、以下のステップを含む。
【００２４】
ステップ１０１では、ユーザの指によってトリガされた指紋識別指令を取得する。
【００２５】
ステップ１０２では、指紋識別指令が受信された後で、指によって遮蔽された各光センサの位置からなる遮蔽領域を特定する。
【００２６】
ステップ１０３では、遮蔽領域に基づいて一部の指紋識別センサを選択する。
【００２７】
ステップ１０４では、選択された一部の指紋識別センサが指に対して指紋識別を行うように制御する。
【００２８】
このように、本発明に供される指紋識別方法によれば、ユーザの指によってトリガされた指紋識別指令を取得し、指紋識別指令が受信された後で、指によって遮蔽された各光センサの位置からなる遮蔽領域を特定し、遮蔽領域に基づいて一部の指紋識別センサを選択し、選択された一部の指紋識別センサが指に対して指紋識別を行うように制御することにより、一部の指紋識別センサが指紋識別を行うように制御可能であり、全液晶ディスプレイスクリーン上におけるあらゆる指紋識別センサが指紋識別を行うように制御することによる資源の無駄遣いの問題を解決し、資源を節約する効果を奏する。
【００２９】
図２Ａは、別の実施例による指紋識別方法を示すフローチャートである。当該指紋識別方法は、液晶ディスプレイスクリーンを含む電子機器に用いられ、当該液晶ディスプレイスクリーン上に指紋識別センサと光センサが分布されており、図２Ａに示すように、当該指紋識別方法は、以下のステップを含む。
【００３０】
ステップ２０１では、ユーザの指によってトリガされた指紋識別指令を取得する。
【００３１】
指紋識別指令は、電子機器が指紋識別サービスを起動して指紋識別を行うよう指示するために用いられる。指紋識別指令は、ユーザがアプリケーションプログラムを使用している過程において、指によりアプリケーションプログラムプログラムを制御して生成されてから、電子機器によって取得されるものであってもよいし、電子機器が他の方式で取得したものであってもよい。本実施例は、指紋識別指令の取得方式について限定しない。
【００３２】
ステップ２０２では、指紋識別指令が受信された後で、測定された輝度値が所定の閾値より小さい各光センサを特定し、各光センサの位置からなる領域を遮蔽領域として特定する。
【００３３】
指紋識別指令が受信された後で、電子機器が指紋識別を行うように、ユーザが指で液晶ディスプレイスクリーン上にタッチ操作をトリガする必要はある。ユーザの指が液晶ディスプレイスクリーンに接触したとき、指が光センサに入射された環境光を遮蔽し、その際、光センサで測定された環境光の輝度値が小さいため、電子機器は、各光センサで測定された輝度値に基づいて、指が液晶ディスプレイスクリーンに接触されているかどうかを特定することができる。実施時、電子機器は、あらゆる光センサで測定された輝度値を取得し、各輝度値を所定の閾値に比較してもよく、輝度値が所定の閾値より小さいとき、当該光センサが遮蔽され、指が液晶ディスプレイスクリーンに接触されていることを意味する。
【００３４】
本実施例では、電子機器は、さらに、輝度値が所定の閾値より小さい各光センサの位置を特定し、各位置からなる領域を遮蔽領域としてもよい。図２Ｂに示す遮蔽領域の模式図を参照すると、液晶ディスプレイスクリーン上に分布された黒い点は、光センサを表し、図２Ｂ中の左側面図は、ユーザの指が液晶ディスプレイスクリーン上にタッチ操作をトリガすることを表し、図２Ｂ中の右側面図は、タッチ操作の楕円形状の遮蔽領域を表す。
【００３５】
ステップ２０３では、遮蔽領域に基づいて光センサがユーザの指によって遮蔽されているかどうかを検出し、遮蔽領域に基づいて光センサが指によって遮蔽されていると検出したとき、ステップ２０４を実行する。
【００３６】
タッチ操作がユーザの指によってトリガされる可能性があるし、手の平のような他の部位によってトリガされる可能性もあるため、電子機器が他の部位にトリガされるタッチ操作を排除することで、指紋識別サービスを起動して指紋識別を行うことによる資源の無駄遣いを回避する必要はある。
【００３７】
実施時、電子機器は、遮蔽領域の面積を算出し、当該面積が所定の面積閾値より小さいかどうかを検出してもよく、当該面積が所定の面積閾値より小さいとき、当該タッチ操作が指にトリガされたものと特定し、当該面積が所定の面積閾値より大きいとき、当該タッチ操作が指にトリガされたものでないと特定する。または、電子機器は、遮蔽領域の形状が楕円形であるかどうかを検出してもよく、当該形状が楕円形であるとき、当該タッチ操作が指にトリガされたものと特定し、当該形状が楕円形でないとき、当該タッチ操作が指にトリガされたものでないと特定する。勿論、電子機器は、タッチ操作が指にトリガされたかどうかを他の方式で検出してもよい。本実施例は、限定しない。
【００３８】
ステップ２０４では、遮蔽領域に基づいて一部の指紋識別センサを選択する。
【００３９】
指と液晶ディスプレイスクリーンとの接触領域が遮蔽領域であり、且つ電子機器当該指の指紋を認識する必要があるため、電子機器は、遮蔽領域に基づいて、指紋識別を行うための一部の指紋識別センサを選択することができる。こうして、全液晶ディスプレイスクリーン上におけるあらゆる指紋識別センサが指紋識別を行うように制御することによる資源の無駄遣いの問題を解決し、資源を節約する効果を奏する。
【００４０】
その中、本実施例は、遮蔽領域に基づいて一部の指紋識別センサを選択する方法を２種提供する。その２種の方法を以下に紹介する。
【００４１】
第１種の特定方法では、遮蔽領域内に分布された各指紋識別センサを特定する。
【００４２】
その中、電子機器は、遮蔽領域内に分布された各指紋識別センサが指紋識別を行うように制御することができる。その際、電子機器は、液晶ディスプレイスクリーン上における各指紋識別センサの座標を取得し、座標に基づいて遮蔽領域内に分布された各指紋識別センサを特定してもよい。
【００４３】
第２種の特定方法では、指紋識別センサが液晶ディスプレイスクリーン上にアレイ状に分布された場合、遮蔽領域がカバーした列の数および行の数を特定し、列の数を長さとし、行の数を幅として矩形の識別領域を生成し、識別領域内に分布された各指紋識別センサを特定する。
【００４４】
遮蔽領域の形状が不規則のものである可能性があるため、電子機器が遮蔽領域内に分布された指紋識別センサを特定する際における計算量が大きい。よって、電子機器は、遮蔽領域を含む規則形状の識別領域を先に特定してから、液晶ディスプレイスクリーン上における各指紋識別センサの座標を取得し、さらに座標に基づいて識別領域内に分布された各指紋識別センサを特定してもよい。
【００４５】
ただし、指紋識別センサが液晶ディスプレイスクリーン上にアレイ状に分布された場合、識別領域が矩形領域であってもよい。矩形領域の長さと幅が固定であるため、電子機器は、識別領域内に分布された各指紋識別センサを容易に特定することができる。
【００４６】
図２Ｃに示す識別領域の模式図を参照すれば、液晶ディスプレイスクリーン上に分布された黒い点が指紋識別センサを表し、楕円形領域が遮蔽領域であると、遮蔽領域内に分布された指紋識別センサは、第４行の第２〜３番、第５行の第２〜４番、第６行の第３〜４番である。楕円領域に基づいて特定された識別領域が矩形領域である場合、矩形領域内に分布された指紋識別センサは、第４〜６行の各行の第２-４番である。
【００４７】
ステップ２０５では、選択された一部の指紋識別センサが指に対して指紋識別を行うように制御する。
【００４８】
図２Ｄに示す一部の指紋識別センサが指に対して指紋識別を行うように制御するフローチャートを参照すると、選択された一部の指紋識別センサが指に対して指紋識別を行うように制御するステップは、
ステップ２０５１では、一部の指紋識別センサを対応するデータ線に電気的に接続するように制御する。
【００４９】
ステップ２０５２では、一部の指紋識別センサによって採集された指紋データをデータ線を介して出力する。
【００５０】
指紋識別センサが特定された後、電子機器がこれらの指紋識別センサを起動してこれらの指紋識別センサにより指紋識別を行う必要がある。ただし、指紋識別センサを起動することは、指紋識別センサを初期化すること、および、指紋識別センサをデータ線に電気的に接続するようにイネーブル端子を介して制御することを含む。
【００５１】
実施時、一部の指紋識別センサを対応するデータ線に電気的に接続するように制御することは、すべての指紋識別センサを初期化することと、一部の指紋識別センサを対応するデータ線に電気的に接続するようにイネーブル線を介して制御することとを含み、ただし、指紋識別センサのそれぞれは、対応するイネーブル線に電気的に接続されている。
【００５２】
すべての指紋識別センサを初期化するとは、指紋識別サービスを起動し、すべての指紋識別センサが空き状態になり、走査指令を待機するように制御することを指す。ただし、各指紋識別センサのイネーブル端子は、対応するイネーブル線に電気的に接続され、イネーブル線上に伝送された信号により、指紋識別センサをデータ線に電気的に接続するかどうかを制御する。データ線は、採集された指紋データを伝送するために用いられる。
【００５３】
図２Ｅに示す指紋識別センサの第１種の模式図を参照すると、黒色矩形は、指紋識別センサであり、横線は、イネーブル線であり、縦線は、データ線であり、各指紋識別センサは、１つのスイッチを介して対応するイネーブル線に接続されているが、データ線に接続されていない。
【００５４】
図２Ｆに示す指紋識別センサの第２種の模式図を参照すると、電子機器は第２行の指紋識別センサが指紋識別を行うように制御する必要があるとすれば、イネーブル線上に伝送された信号により第２行の各指紋識別センサをデータ線に電気的に接続するように制御することができる。
【００５５】
指紋識別センサがデータ線に電気的に接続された後で、電子機器は、走査指令によりこれらの指紋識別センサの走査を制御して指紋データを取得し、さらに指紋識別処理のためにこれらの指紋データをデータ線を介して伝送する。ただし、指紋識別センサが静電容量型の指紋識別センサである場合、指紋データは、静電容量値である。
【００５６】
説明すべきことは、指紋識別センサを初期化するステップは、一番早いタイミングとして、ステップ２０１後に実行されてもよい。こうして、電子機器が指紋識別センサを特定した後で、空き状態である指紋識別センサにより直接指紋識別を行うことができ、指紋識別の効率が向上する。または、当該ステップは、一番遅いタイミングとして、指紋識別を行う必要がある指紋識別センサを電子機器が特定した後で実行されてもよい。こうして、指紋識別サービスの起動の早すぎによる資源の無駄遣いが回避される。
【００５７】
このように、本発明に供される指紋識別方法によれば、ユーザの指によってトリガされた指紋識別指令を取得し、指紋識別指令が受信された後で、指によって遮蔽された各光センサの位置からなる遮蔽領域を特定し、遮蔽領域に基づいて一部の指紋識別センサを選択し、選択された一部の指紋識別センサが指に対して指紋識別を行うように制御することにより、一部の指紋識別センサが指紋識別を行うように制御可能であり、全液晶ディスプレイスクリーン上におけるあらゆる指紋識別センサが指紋識別を行うように制御することによる資源の無駄遣いの問題を解決し、資源を節約する効果を奏する。
【００５８】
また、測定された輝度値が所定の閾値より小さい各光センサを特定し、各光センサの位置からなる領域を遮蔽領域として特定することで、指が液晶ディスプレイスクリーンに接触したことを光センサにより先に特定してから、指紋識別サービスを起動することができるため、指紋識別サービスを起動して指紋識別を行うタイミングが早すぎて資源の無駄遣いを招く問題が回避され、資源を節約する効果を奏する。
【００５９】
図３は、一実施例による指紋識別装置を示すブロック図である。当該指紋識別装置は、液晶ディスプレイスクリーンを含む電子機器に用いられ、当該液晶ディスプレイスクリーン上に指紋識別センサと光センサが分布されている。図３に示すように、当該指紋識別装置は、指令受信モジュール３１０と、領域特定モジュール３２０と、センサ選択モジュール３３０と、指紋識別モジュール３４０とを備える。
【００６０】
当該指令受信モジュール３１０は、ユーザの指によってトリガされた指紋識別指令を取得するように構成される。
【００６１】
当該領域特定モジュール３２０は、指紋識別指令が指令受信モジュール３１０によって受信された後で、指によって遮蔽された各光センサの位置からなる遮蔽領域を特定するように構成される。
【００６２】
当該センサ選択モジュール３３０は、領域特定モジュール３２０によって特定された遮蔽領域に基づいて一部の指紋識別センサを選択するように構成される。
【００６３】
当該指紋識別モジュール３４０は、センサ選択モジュール３３０によって選択された一部の指紋識別センサが指に対して指紋識別を行うように制御するように構成される。
【００６４】
このように、本発明に供される指紋識別装置によれば、ユーザの指によってトリガされた指紋識別指令を取得し、指紋識別指令が受信された後で、指によって遮蔽された各光センサの位置からなる遮蔽領域を特定し、遮蔽領域に基づいて一部の指紋識別センサを選択し、選択された一部の指紋識別センサが指に対して指紋識別を行うように制御することにより、一部の指紋識別センサが指紋識別を行うように制御可能であり、全液晶ディスプレイスクリーン上におけるあらゆる指紋識別センサが指紋識別を行うように制御することによる資源の無駄遣いの問題を解決し、資源を節約する効果を奏する。
【００６５】
図４は、一実施例による指紋識別装置を示すブロック図である。当該指紋識別装置は、液晶ディスプレイスクリーンを含む電子機器に用いられ、当該液晶ディスプレイスクリーン上に指紋識別センサと光センサが分布されており、図４に示すように、当該指紋識別装置は、指令受信モジュール４１０と、領域特定モジュール４２０と、センサ選択モジュール４３０と、指紋識別モジュール４４０とを備える。
【００６６】
当該指令受信モジュール４１０は、、ユーザの指によってトリガされた指紋識別指令を取得するように構成される。
【００６７】
当該領域特定モジュール４２０は、指紋識別指令が指令受信モジュール４１０によって受信された後で、指によって遮蔽された各光センサの位置からなる遮蔽領域を特定するように構成される。
【００６８】
当該センサ選択モジュール４３０は、領域特定モジュール４２０によって特定された遮蔽領域に基づいて一部の指紋識別センサを選択するように構成される。
【００６９】
当該指紋識別モジュール４４０は、センサ選択モジュール４３０によって選択された一部の指紋識別センサが指に対して指紋識別を行うように制御するように構成される。
【００７０】
好ましくは、領域特定モジュール４２０は、第１の特定サブモジュール４２１と、第２の特定サブモジュール４２２とを備える。
【００７１】
当該第１の特定サブモジュール４２１は、指紋識別指令が受信された後で、測定された輝度値が所定の閾値より小さい各光センサを特定するように構成される。
【００７２】
当該第２の特定サブモジュール４２２は、各光センサの位置からなる領域を遮蔽領域として特定するように構成される。
【００７３】
好ましくは、本実施例に供される指紋識別装置は、さらに、領域検出モジュール４５０と、操作トリガモジュール４６０とを備える。
【００７４】
当該領域検出モジュール４５０は、遮蔽領域に基づいて光センサが遮蔽されているかどうかを検出するように構成される。
【００７５】
当該操作トリガモジュール４６０は、領域検出モジュール４５０が遮蔽領域に基づいて光センサが指によって遮蔽されていると検出したとき、選択された一部の指紋識別センサが指紋識別のステップを実行するように制御するようにトリガする。
【００７６】
好ましくは、センサ選択モジュール４３０は、
遮蔽領域内に分布された各指紋識別センサを特定するように構成される第１の選択サブモジュール４３１、または、
第２の選択サブモジュール４３２は、指紋識別センサが液晶ディスプレイスクリーン上にアレイ状に分布された場合、遮蔽領域がカバーした列の数および行の数を特定し、列の数を長さとし、行の数を幅として矩形の識別領域を生成し、識別領域内に分布された各指紋識別センサを特定するように構成される。
【００７７】
好ましくは、指紋識別モジュール４４０は、接続制御サブモジュール４４１と、指紋出力サブモジュール４４２とを備える。
【００７８】
当該接続制御サブモジュール４４１は、一部の指紋識別センサを対応するデータ線に電気的に接続するように制御するように構成される。
【００７９】
当該指紋出力サブモジュール４４２は、一部の指紋識別センサによって採集された指紋データをデータ線を介して出力するように構成される。
【００８０】
好ましくは、接続制御サブモジュール４４１は、さらに、
すべての指紋識別センサを初期化し、一部の指紋識別センサを対応するデータ線に電気的に接続するようにイネーブル線を介して制御するように構成され、指紋識別センサのそれぞれは、対応するイネーブル線に電気的に接続されている。
【００８１】
このように、本発明に供される指紋識別装置によれば、ユーザの指によってトリガされた指紋識別指令を取得し、指紋識別指令が受信された後で、指によって遮蔽された各光センサの位置からなる遮蔽領域を特定し、遮蔽領域に基づいて一部の指紋識別センサを選択し、選択された一部の指紋識別センサが指に対して指紋識別を行うように制御することにより、一部の指紋識別センサが指紋識別を行うように制御可能であり、全液晶ディスプレイスクリーン上におけるあらゆる指紋識別センサが指紋識別を行うように制御することによる資源の無駄遣いの問題を解決し、資源を節約する効果を奏する。
【００８２】
また、測定された輝度値が所定の閾値より小さい各光センサを特定し、各光センサの位置からなる領域を遮蔽領域として特定することで、指が液晶ディスプレイスクリーンに接触したことを光センサにより先に特定してから、指紋識別サービスを起動することができるため、指紋識別サービスを起動して指紋識別を行うタイミングが早すぎて資源の無駄遣いを招く問題が回避され、資源を節約する効果を奏する。
【００８３】
上記実施例における装置について、各モジュールが操作を実行する具体的な方式が当該方法に関する実施例で詳細に記述されたため、ここで詳しく説明しない。
【００８４】
本発明の一実施例は、本発明に供される指紋識別方法を実現可能である指紋識別装置を提供し、当該指紋識別装置は、電子機器に用いられ、指紋識別センサと光センサとが分布された液晶ディスプレイスクリーンと、プロセッサと、プロセッサの実行可能な指令を記憶するためのメモリと、を備え、
プロセッサは、
ユーザの指によってトリガされた指紋識別指令を取得し、
指紋識別指令が受信された後で、指によって遮蔽された各光センサの位置からなる遮蔽領域を特定し、
遮蔽領域に基づいて一部の指紋識別センサを選択し、
選択された一部の指紋識別センサが指に対して指紋識別を行うように制御するように構成される。
【００８５】
図５は、一実施例による指紋識別のための装置５００を示すブロック図である。例えば、装置５００は、携帯電話、コンピュータ、デジタル放送端末、メッセージ送受信機器、ゲームコンソール、タブレットデバイス、医療設備、フィットネス機器、ＰＤＡなどであってもよい。
【００８６】
図５を参照すると、装置５００は、処理ユニット５０２、メモリ５０４、電源ユニット５０６、マルチメディアユニット５０８、オーディオユニット５１０、入力／出力（Ｉ／Ｏ）インターフェース５１２、センサユニット５１４、および、通信ユニット５１６のうちの１つまたは複数を含んでもよい。
【００８７】
処理ユニット５０２は、通常は、表示、電話発呼、データ通信、カメラ操作および記録操作に関連する操作のような、装置５００の全般操作を制御する。処理ユニット５０２は、上記方法の全部または一部のステップを実施させるように、指令を実行するための１つまたは複数のプロセッサ５１８を含んでもよい。また、処理ユニット５０２は、処理ユニット５０２と他のユニットとの間の相互作用を容易にするように、１つ又は複数のモジュールを含んでもよい。例えば、処理ユニット５０２は、マルチメディアユニット５０８と処理ユニット５０２との間の相互作用を容易にするように、マルチメディアモジュールを含んでもよい。
【００８８】
メモリ５０４は、各タイプのデータを記憶して装置５００での操作をサポートするように構成される。これらのデータの例示は、装置５００で操作するための任意のアプリケーションもしくは方法の指令、連絡人データ、電話帳データ、メッセージ、ピクチャ、ビデオなどを含む。メモリ５０４は、如何なる種別の揮発性もしくは不揮発性記憶装置またはそれらの組合せで実現されてもよい。例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【００８９】
電源ユニット５０６は、装置５００のユニットのそれぞれに電力を供給する。電源ユニット５０６は、電源管理システム、１つまたは複数の電源、並びに、装置５００用の電力を生成、管理および配分するに関する他のユニットを含んでもよい。
【００９０】
マルチメディアユニット５０８は、装置５００とユーザとの間に1つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、液晶ディスプレイスクリーンとして実現されてもよい。タッチパネルは、タッチ、スライドおよびタッチパネルでのジェスチャを感知するように、１つまたは複数のタッチセンサを含む。タッチセンサは、タッチあるいはスライド動作の境界を感知するだけではなく、タッチあるいはスライド操作と関連する持続時間および圧力をさらに検出することができる。一部の実施例では、マルチメディアユニット５０８は、１つのフロントカメラおよび/またはバックカメラを含む。装置５００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【００９１】
オーディオユニット５１０は、オーディオ信号を出力および/または入力するように構成される。例えば、オーディオユニット５１０は、マイク（ＭＩＣ）を備え、装置５００が操作モード、例えば、発呼モード、記録モードおよび音声識別モードであるとき、マイクは、外部オーディオ信号を受信するように構成される。受信されたオーディオ信号は、さらに、メモリ５０４に格納される、または、通信ユニット５１６を介して送信されることができる。一部の実施例では、オーディオユニット５１０は、オーディオ信号を出力するためのスピーカをさらに含む。
【００９２】
Ｉ/Ｏインターフェース５１２は、処理ユニット５０２とペリフェラルインターフェースモジュールとの間でインターフェースを供給するものであり、上記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【００９３】
センサユニット５１４は、様々な側面での状態推定を装置５００に供給するための１つまたは複数のセンサを含む。例えば、センサユニット５１４は、装置５００のオン/オフ状態、ユニットの相対位置を検出することができ、ユニットは、例えば、装置５００のディスプレイおよびキーパッドである。センサユニット５１４は、さらに、装置５００もしくは装置５００の１つのユニットの位置変更、ユーザと装置５００との接触の存在もしくは非存在、装置５００の方位もしくは加速/減速および装置５００の温度変化をさらに検出することができる。センサユニット５１４は、如何なる物理的接触もないとき、近辺にある物体の存在を検出するための近接センサを含んでもよい。センサユニット５１４は、さらに、イメージングアプリケーションに使用される光センサ、例えばＣＭＯＳまたはＣＣＤ画像センサを含んでもよい。センサ？件５１４は、指紋を識別するように構成される指紋識別センサをさらに含んでもよい。一部の実施例では、当該センサユニット５１４は、さらに、加速度センサ、ジャイロセンサ、磁気センサ、圧力センサまたは温度センサを含んでもよい。
【００９４】
通信ユニット５１６は、装置５００と他の機器間の無線または有線方式の通信ができるように構成される。装置５００は、通信規格に基づく無線ネットワーク、例えば、ＷｉＦｉ、２Ｇもしくは３Ｇなどの通信規格、またはそれらの組合せに基づく無線ネットワークにアクセスすることができる。ある実施例では、通信ユニット５１６は、外部ブロードキャスト管理システムからのブロードキャスト信号またはブロードキャスト関連情報をブロードキャストチャネルを介して受信する。ある実施例では、通信ユニット５１６は、さらに、短距離通信を容易にするように、ニアフィールド通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術および他の技術によって実現されてもよい。
【００９５】
実施例では、装置５００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【００９６】
実施例では、指令を含む非一時的コンピュータ読み取り可能な記憶媒体、例えば、指令を含むメモリ５０４をさらに提供し、上記指令が装置５００のプロセッサ５１８によって実行されることで上記方法を実施させることができる。例えば、非一時的コンピュータ読み取り可能な記憶媒体は、ＲＯＭ、ランダムアクセスメモリ（ＲＡＭ）、ＣＤ-ＲＯＭ、磁気テープ、フロッピーディスクおよび光データ記憶機器などであってもよい。
【００９７】
当業者は明細書を考慮し、ここに公開された開示を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【００９８】
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
【００９９】
本願は、出願番号が２０１５１０６４９７３５.１であり、出願日が２０１５年１０月９日である中国特許出願に、基づいて優先権を主張する。当該中国特許出願の全ての内容は、ここに参考として引用される。
【図１】
0006366699.tif 000002
【図２Ａ】
0006366699.tif 000003
【図２Ｂ】
0006366699.tif 000004
【図２Ｃ】
0006366699.tif 000005
【図２Ｄ】
0006366699.tif 000006
【図２Ｅ】
0006366699.tif 000007
【図２Ｆ】
0006366699.tif 000008
【図３】
0006366699.tif 000009
【図４】
0006366699.tif 000010
【図５】
0006366699.tif 000011